(57)【要約】【課題】プラグとレセプタクルの位置ずれを防止する。【解決手段】同軸コネクタ（１）が有する、プラグ（２０）が挿入されるレセプタクル（１０）は芯線である内導体（１１）を囲み、開口部１２ｃを構成する両端（１２ｃ）を含む両端部（１２ｄ）が、両端（１２ｃ）にかけて互いの距離が徐々に大きくなる外導体（１２）を有する。【選択図】図１
2014186867.tif 000002
【特許請求の範囲】
【請求項１】
同軸ケーブルの内導体と導通する内導体および同軸ケーブルの外導体と導通する外導体を有するプラグと、上記プラグの内導体と導通する内導体および上記プラグの外導体と導通する外導体を有するレセプタクルとが嵌合することにより、プラグおよびレセプタクルのそれぞれが有する内導体同士および外導体同士を接続する同軸コネクタであって、
上記プラグおよび上記レセプタクルの一方である内側端子が、他方である外側端子に嵌入するものであり、
上記外側端子の外導体である外側端子外導体は、上記外側端子の内導体である外側端子内導体の側面を囲む帯状体であるとともに、該帯状体の両端部の間に上記内側端子が通過可能な開口が形成されており、
上記内側端子の外導体である内側端子外導体は、上記内側端子の内導体である内側端子内導体の側面を囲む帯状体であるとともに、該帯状体の両端部の間に上記外側端子内導体が通過可能な開口が形成されており、
上記外側端子外導体、上記外側端子内導体、上記内側端子外導体、および上記内側端子内導体は、上記外側端子外導体の開口を上記内側端子が通るとともに、上記内側端子外導体の開口を上記外側端子内導体が通って、上記内側端子と上記外側端子とが嵌合した状態では、上記外側端子外導体の内壁面と上記内側端子外導体の外壁面とが接触し、かつ、上記内側端子内導体と上記外側端子内導体とが接触する形状を有し、さらに、
上記外側端子外導体は、帯状体の両方の端部が、該両方の端部の間に形成される開口の位置から帯状体の先端にかけて、両方の端部の間の距離が徐々に大きくなる形状を有することを特徴とする同軸コネクタ。
【請求項２】
上記外側端子外導体の内壁面および上記内側端子外導体の外壁面には、互いに嵌合する嵌合部が、上記内側端子が上記外側端子に嵌入する際の移動方向に沿って延伸する溝状に形成されていることを特徴とする請求項１に記載の同軸コネクタ。
【請求項３】
上記嵌合部は、上記外側端子外導体の帯状体の先端から、上記溝の幅が徐々に狭まっていることを特徴とする請求項２に記載の同軸コネクタ。
【請求項４】
上記内側端子内導体および上記外側端子内導体は、上記内側端子と上記外側端子とが嵌合した状態において、互いに嵌合する形状を有することを特徴とする請求項１〜３の何れか１項に記載の同軸コネクタ。
【請求項５】
上記内側端子内導体および上記外側端子内導体のうちの一方が、他方の嵌入を受ける凹部を有するとともに、該凹部の開口の端部に上記他方を凹部内に導く案内部が設けられていることを特徴とする請求項４に記載の同軸コネクタ。
【発明の詳細な説明】
【技術分野】
【０００１】
本発明は、同軸コネクタに関する。
【背景技術】
【０００２】
携帯電話端末のような携帯通信機器や、ＰＤＡや小型ＰＣのような小型電子機器の構成部品として、レセプタクルとプラグとからなる同軸コネクタが使用されている。携帯通信機器や電子機器の小型化、薄型化に伴い、同軸コネクタの小型化、薄型化の要望が増している。
【０００３】
特許文献１には、同軸ケーブルの先端部を収納したプラグと、当該プラグが上方から挿入する構成であるレセプタクルとを有するＬ型の同軸コネクタが開示されている。特許文献１によると、同軸コネクタが設置される基板面からの同軸コネクタの高さ方向の寸法を低減できるとされている。
【先行技術文献】
【特許文献】
【０００４】
【特許文献１】特開２００６‐３１８９３６号公報（２００６年１１月２４日公開）
【発明の概要】
【発明が解決しようとする課題】
【０００５】
通常、プラグとレセプタクルとを接続する際、作業者が専用の治具を用いてプラグをレセプタクルに挿入する。しかし、同軸コネクタが小型化されると、プラグと、レセプタクルとの位置合わせが難しくなる。さらに、プラグとレセプタクルとの位置がずれたまま、作業者がプラグをレセプタクルに無理やり挿入しようとすると、プラグとレセプタクルとが破損する場合がある。
【０００６】
本発明は、上記課題を解決するためになされたもので、その目的は、プラグとレセプタクルとを接続する際の位置ずれを防止するができる同軸コネクタを提供することにある。
【課題を解決するための手段】
【０００７】
上記の課題を解決するために、本発明の一態様に係る同軸コネクタは、同軸ケーブルの内導体と導通する内導体および同軸ケーブルの外導体と導通する外導体を有するプラグと、上記プラグの内導体と導通する内導体および上記プラグの外導体と導通する外導体を有するレセプタクルとが嵌合することにより、プラグおよびレセプタクルのそれぞれが有する内導体同士および外導体同士を接続する同軸コネクタであって、上記プラグおよび上記レセプタクルの一方である内側端子が、他方である外側端子に嵌入するものであり、上記外側端子の外導体である外側端子外導体は、上記外側端子の内導体である外側端子内導体の側面を囲む帯状体であるとともに、該帯状体の両端部の間に上記内側端子が通過可能な開口が形成されており、上記内側端子の外導体である内側端子外導体は、上記内側端子の内導体である内側端子内導体の側面を囲む帯状体であるとともに、該帯状体の両端部の間に上記外側端子内導体が通過可能な開口が形成されており、上記外側端子外導体、上記外側端子内導体、上記内側端子外導体、および上記内側端子内導体は、上記外側端子外導体の開口を上記内側端子が通るとともに、上記内側端子外導体の開口を上記外側端子内導体が通って、上記内側端子と上記外側端子とが嵌合した状態では、上記外側端子外導体の内壁面と上記内側端子外導体の外壁面とが接触し、かつ、上記内側端子内導体と上記外側端子内導体とが接触する形状を有し、さらに、上記外側端子外導体は、帯状体の両方の端部が、該両方の端部の間に形成される開口の位置から帯状体の先端にかけて、両方の端部の間の距離が徐々に大きくなる形状を有する。
【発明の効果】
【０００８】
本発明の一態様によれば、プラグとレセプタクルとを接続する際の位置ずれを防止することができる同軸コネクタを提供することができるという効果を奏する。
【図面の簡単な説明】
【０００９】
【図１】（ａ）実施形態１に係る同軸コネクタのレセプタクル及びプラグ外側の斜視図であり、（ｂ）はプラグ内側の斜視図である。
【図２】実施形態１に係る、接続前の同軸コネクタの基板面に平行な断面図である。
【図３】実施形態１に係る、接続前の同軸コネクタの基板面に直交する断面図である。
【図４】実施形態１に係るレセプタクルの内導体及びプラグの内導体を表す斜視図である。
【図５】実施形態２に係るレセプタクルの内導体を表す斜視図である。
【図６】（ａ）は実施形態１に係る接続された同軸コネクタの基板面に平行な断面図であり、（ｂ）は実施形態１に係る接続された同軸コネクタの基板面に直交する断面図である。
【図７】プラグがずれた位置から、レセプタクル内に挿入される様子を表す図である。
【図８】実施形態に係る同軸コネクタの基板面に平行な断面図である。
【発明を実施するための形態】
【００１０】
以下、本発明の実施の形態について、詳細に説明する。
【００１１】
〔実施形態１〕
図１の（ａ）は同軸コネクタのレセプタクル及びプラグ外側の斜視図であり、（ｂ）はプラグ内側の斜視図である。図２は接続前の同軸コネクタの基板面に平行な断面図である。図３は接続前の同軸コネクタの基板面に直交する断面図である。なお、図２は図３のＢ‐Ｂ’線の断面図である。図３は図２のＡ‐Ａ’線の断面図である。
【００１２】
図１、２に示すように、同軸コネクタ１は、レセプタクル（外側端子）１０と、レセプタクル１０に挿入されるプラグ（内側端子）２０とを備えている。同軸コネクタ１はＬ字型の同軸コネクタである。
【００１３】
＜レセプタクル１０概略説明＞
レセプタクル１０は、例えば、各種配線が配された基板５の表面である基板面（設置面）５ａ等に実装されることで設置されるためのものである。基板５は、特に限定されるものではないが、例えば、携帯電話端末や、ノート型パソコン等に用いられる基板である。
【００１４】
レセプタクル１０は、細線状の芯線である内導体（外側端子内導体）１１と、内導体１１の側面を囲む帯状体である外導体（外側端子外導体）１２と、基部である絶縁体１３と、絶縁体１３内に配された導体１４とを備えている。絶縁体１３の形状は一例として円形の板状である。絶縁体１３は内導体１１と外導体１２とを絶縁するものである。なお、絶縁体１３の形状は円形の板状に限定されるものではない。外導体１２は、基板５の基板面５ａに設けられた基板５のＧＮＤ端子５ｂと接続されさている。一例として、外導体１２と基板５のＧＮＤ端子５ｂとは半田づけされることによって接続されている。なお、外導体１２のうち、先端の両案内部１２ｄ（後述する）以外の部分であれば、どこでも、基板５のＧＮＤ端子５ｂと接続箇所を設けることが可能である。
【００１５】
＜プラグ２０の概略説明＞
プラグ２０は、細線状の芯線である内導体（内側端子内導体）２１と、内導体２１の側面を囲む外導体（内側端子外導体）２２とを備えている。プラグ２０内には、同軸ケーブル３０の先端部が挿入されている。プラグ２０の内部に配された同軸ケーブル３０の先端部は、プラグ２０の内部に配された誘電体２３に覆われている。プラグ２０と、レセプタクル１０とが接続されることで、同軸コネクタ１を介して同軸ケーブル３０と、レセプタクル１０が設置された基板面５ａ上の配線等とが接続される。プラグ２０は、レセプタクル１０に対し、上方側からではなく、レセプタクル１０が設置された基板面５ａと平行に移動されることでレセプタクル１０に嵌入される。プラグ２０の内導体１１とレセプタクル１０の内導体２１とは互いに嵌合する形状である。内導体１１と内導体２１とが接触することで互いに導通可能となる。外導体１２と外導体２２は互いに嵌合する形状である。外導体１２と外導体２２とが接触することで互いに導通可能となる。
【００１６】
＜レセプタクル１０及びプラグ２０の詳細説明＞
内導体１１は、絶縁体１３の中央部近傍から突出するように配されている。内導体１１の延伸方向は、絶縁体１３の表面（基板面５ａへの設置面と逆側の面）と直交する方向である。
【００１７】
外導体１２は、絶縁体１３の周縁部に立設された帯状体であり、中央部である壁部１２ａと、壁部１２ａより先端部である両端部１２ｄとを有する。両端部１２ｄは、外導体１２の両先端である両端１２ｂを含む。外導体１２には、帯状体の両端部１２ｄの間にプラグ２０が通過可能な開口部１２ｃが形成されている。外導体１２は、内導体１１と離間し、内導体１１の側面を囲っている。換言すると、外導体１２は、一方の端１２ｂから、他方の端１２ｂへ延伸し、絶縁体１３の周縁部に立設している。壁部１２ａは絶縁体１３の表面の縁に沿って配されている。両案内部１２ｄは、端１２ｂ（壁部１２ａと遠い側の端）にかけて互いの距離が離れるように、外向きに配されている。
【００１８】
プラグ２０側の外導体２２は、側壁である壁部（内側端子外導体）２２ａと、壁部２２ａ上に配された板状の蓋部２２ｅとを有する。壁部２２ａは、筒状の一部を開口した形状である。すなわち、壁部２２ａは、内導体２１の側面を囲む帯状体であるとともに、該帯状体の両先端である両端（両端部）２２ｂの間にレセプタクル１０の内導体１１が通過可能な開口部２２ｃが形成されている。外導体２２は、内導体２１と離間し、内導体２１の側面を囲っている。換言すると、外導体２２は、一方の端２２ｂから他方の端２２ｂへ延伸し、蓋部２２ｅの周縁部に立設している。
【００１９】
壁部２２ａの外壁面と、レセプタクル１０の外導体１２の内壁面とは嵌合する形状となっている。
【００２０】
図３に示すように、レセプタクル１０の内導体１１は、内導体１１のうち下端部近傍以外は絶縁体１３から露出し、下端部近傍は絶縁体１３の近傍に埋設されている。内導体１１の下端部は、絶縁体１３の内部で、絶縁体１３の内部に配された導体１４と接続されている。導体１４は一端が内導体１１と接続され、他端に向かう途中から絶縁体１３から露出し、他端は基板５に設けられた端子や配線等と接続される。なお、導体１４は内導体１１と同一材料により一体として構成さていてもよい。
【００２１】
プラグ２０側は、蓋部２２ｅに沿って、同軸ケーブル３０の先端部がプラグ２０内に挿入され固定されている。同軸ケーブル３０の先端部は、先端から順に、中心に配された内導体３１と、内導体３１の外側に配された誘電体３２と、誘電体３２の外側に配された外導体３３と、外導体３３の外側に配された外皮３４とが露出している。
【００２２】
プラグ２０は、プラグ２０内であって蓋部２２ｅの裏面に、順に並んで配された把持部２４及び支持部２５と、誘電体２３とを備えている。誘電体２３は、把持部２４及び支持部２５を含め、同軸ケーブル３０の先端部である内導体３１、誘電体３２、及び外皮３４（プラグ２０内の部分）を覆っている。誘電体２３のうち、レセプタクル１０の内導体１１が嵌入される部分は段差が設けられている。誘電体２３の当該段差の側壁に、プラグ２０の内導体２１が配されている。把持部２４は外導体３３を把持し、支持部２５は外皮３４を支持する。このように、同軸ケーブル３０は蓋２２ｂの裏面に沿って取り付けられている。なお、図１の（ｂ）に示すように、誘電体２３の上記段差の形状は、一例として、内導体２１が配されている部分から、外導体２２の両端２２ｂにかけて徐々に距離が大きくなる形状である。
【００２３】
図２、図３に示すように、プラグ２０の内導体２１は、外導体２２と離間し、外導体２２と直交するように誘電体２３に配されている。内導体２１と同軸ケーブル３０の内導体３１とは直交するよう交わり接続されている。
【００２４】
図４はレセプタクル１０の内導体１１及びプラグ２０の内導体２１を表す斜視図である。図４に示す様に、内導体１１及び内導体２１のそれぞれの側面は、それぞれの延伸方向に沿って互いに嵌合する形状となっている。一例として、内導体２１は円柱形状である。内導体１１は内導体２１の側面が嵌合するような、凹形状である。これにより、内導体１１・２１を確実に接触させることができると共に、大きい接触面積を確保することができる。なお、内導体１１が円柱形状であり、内導体２１が内導体１１の側面が嵌合するような、凹形状であってもよい。
【００２５】
このように、同軸コネクタ１によると、レセプタクル１０の外導体１２は、内導体１１の側面を囲む帯状体であるとともに、該帯状体の両端部１２ｄの間にプラグ２０が通過可能な開口部１２ｃが形成されている。また、プラグ２０の外導体２２の壁部２２ａは、内導体２１の側面を囲む帯状体であるとともに、該帯状体の両端２２ｂの間にレセプタクル１０の内導体１１が通過可能な開口部２２ｃが形成されている。
【００２６】
プラグ２０をレセプタクル１０に嵌入する際、プラグ２０側の壁部２２ａおよび内導体２１は、レセプタクル１０の外導体１２の開口部１２ｃを通り、レセプタクル１０の内導体１１は、プラグ２０の外導体２２の開口部２２ｃを通る。これにより、プラグ２０とレセプタクル１０とを嵌合させることができる。
【００２７】
このため、レセプタクル１０が設置された基板面５ａに対し、プラグ２０を平行移動させることで、外導体１２の両端１２ｂ間の開口部１２ｃを通してプラグ２０側の外導体２２及び内導体２１を外導体１２の内部に挿入させ、また、外導体２２の両端２２ｂ間の開口部２２ｃを通してレセプタクル１０側の内導体１１を外導体２２の内部に挿入させることができる。
【００２８】
また、プラグ２０とレセプタクル１０とが嵌合した状態では、レセプタクル１０の外導体１２の内壁面とプラグ２０の壁部２２ａの外壁面とが接触し、かつ、レセプタクル１０の内導体１１とプラグ２０の内導体２１とが接触する形状を有する。
【００２９】
このように、レセプタクル１０の外導体１２の開口部１２ｃ及びプラグ２０の開口部２２ｃを通って、内導体１１及び内導体２１を側面側からそれぞれの側面同士を接触させることが可能となる。
【００３０】
図６の（ａ）は接触後の同軸コネクタの基板面に平行な断面図であり、（ｂ）は接触後の同軸コネクタの基板面に直交する断面図である。図６の（ａ）は（ｂ）のＤ‐Ｄ’線での断面を示し（ｂ）は（ａ）のＣ‐Ｃ’線での断面を示している。
【００３１】
プラグ２０をレセプタクル１０内に挿入することで、プラグ２０はレセプタクル１０と嵌合する。そして、レセプタクル１０の内導体１１の側面とプラグ２０の内導体２１の側面とを接触させて導通させることが可能となり、また、レセプタクル１０の外導体１２とプラグ２０の外導体２２とを接触させて導通させることが可能となる。
【００３２】
このため、内導体１１及び内導体２１同士を延伸方向に移動させて接触させる場合と比べて、内導体１１及び内導体２１の先端同士の干渉による破損を防止し、内導体１１及び内導体２１を容易に確実に接触させることができる。このようにして、レセプタクル１０と、プラグ２０とが嵌合した同軸コネクタ１を得ることができる。
【００３３】
図７は、プラグ２０がずれた位置から、レセプタクル１０内に挿入される様子を表す図である。
【００３４】
同軸コネクタ１では、さらに、レセプタクル１０の外導体１２は、帯状体の両方の端部１２ｄが、該両方の端部１２ｄの間に形成される開口部１２ｃの位置から帯状体の端１２ｄにかけて、両方の端部の間の距離が徐々に大きくなる形状を有する。換言すると、レセプタクル１０の外導体１２の両案内部１２ｄは、両端１２ｂにかけて互いの距離が離れるように外向きに配されている。具体的には、両案内部１２ｄのそれぞれは、基板面５ａに平行な断面において、壁部１２ａ側から両端１２ｂ側にかけて次第に互いに離れる方向に湾曲している。
【００３５】
このため、プラグ２０が基板面５ａに平行に移動され、レセプタクル１０の外導体１２内に挿入される際、プラグ２０が開口部１２ｃに、ずれた位置から移動されてきたとしても、外導体１２の両案内部１２ｄの一方で、ずれた位置から移動されてきたプラグ２０を受けることができる。そして、図７の矢印に示すように、プラグ２０が接触した案内部１２ｄの形状に沿って、プラグ２０を開口部１２ｃ内に導くことができる。この結果、プラグ２０を開口部１２ｃからレセプタクル１０内に挿入させることができる。
【００３６】
このように、同軸コネクタ１によると、小型化しても、レセプタクル１０とプラグ２０とを接続する際の位置ずれを防止し、レセプタクル１０とプラグ２０とを接続することができる。すなわち、レセプタクル１０とプラグ２０とを容易に位置合わせすることができる。
【００３７】
また、プラグ２０は、基板面５ａに平行に移動されてレセプタクル１０内に挿入される。そして、プラグ２０が挿入される入口である外導体１２の開口部１２ｃは、基板面５ａに平行な方向に開口している。
【００３８】
換言すると、外導体１２の延伸方向は基板面５ａに対し平行な方向であり、外導体１２の両案内部１２ｄによって開口部１２ｃが構成されている。
【００３９】
このため、同軸コネクタ１の高さ（基板面５ａと直交する方向の距離）を増加させることなく、プラグ２０をレセプタクル１０内に導く構成である両案内部１２ｄを設けることができる。
【００４０】
すなわち、同軸コネクタ１によると、高さの増加を防止し、かつ、プラグ２０とレセプタクル１０との位置ずれを防止することができる。
【００４１】
このため、同軸コネクタ１は、特に、小型電子機器に用いられる基板や、当該基板を用いた携帯電話端末等の携帯通信機器やＰＤＡや小型ＰＣ等の小型電子機器のように、同軸コネクタ１の高さに制約がある部品や機器に好適に用いることができる。
【００４２】
ここで、プラグ２０は、基板面５ａと平行に移動させて、レセプタクル１０に挿入するため、まず、プラグ２０と、レセプタクル１０との高さ方向の位置を合せる必要がある。
【００４３】
そこで、同軸コネクタ１では、レセプタクル１０の外導体１２の内壁面には溝部（嵌合部）１２ｆが形成されている。また、プラグ２０の外導体２２の壁部２２ａの外壁面には突出部（嵌合部）２２ｆが形成されている。溝部１２ｆ及び突出部２２ｆは、互いに嵌合する形状であり、プラグ２０がレセプタクル１０に嵌入する際の移動方向（基板面５ａに平行な方向）に沿って延伸する溝状に形成されている。溝部１２ｆは外導体１２の内面の略中央部分であって外導体１２が延伸する方向に沿って形成されている。一例として溝部１２ｆは外導体１２の内面から凹む凹形状である。突出部２２ｆは外導体１２の外面の略中央部分であって外導体２２が延伸する方向に沿って形成されている。一例として突出部２２ｆは外導体２２の外面から突出する凸形状である。溝部１２ｆと、突出部２２ｆとは、基板面５ａに略平行に配されている。
【００４４】
これにより、プラグ２０をレセプタクル１０に挿入する際、溝部１２ｆと突出部２２ｆとが嵌合し、プラグ２０を、溝部１２ｆに沿って、基板面５ａと平行に相対移動させることができる。このため、外導体１２・２２が延伸する方向、すなわち、基板面５ａと直交する方向のずれを防止して、プラグ２０を、レセプタクル１０に嵌入することができる。
【００４５】
さらに、プラグ２０とレセプタクル１０とを嵌合させた後も、溝部１２ｇと突出部２２ｆとは嵌合しているため、プラグ２０がレセプタクル１０から高さ方向へ抜けてしまうことを防止することもできる。
【００４６】
また、溝部１２ｆは、外導体１２の帯状体の端１２ｂから、溝の幅（延伸する方向と直交する方向の長さ）が徐々に狭まっている。
【００４７】
これにより、プラグ２０をレセプタクル１０に挿入する際、突出部２２ｆが溝部１２ｆと嵌合しやすくなり、より確実に、また容易に、基板面５ａと直交する方向のずれを防止して、プラグ２０を、レセプタクル１０に挿入することができる。
【００４８】
なお、溝部１２ｆと、突出部２２ｆとは、互いに嵌合する形状であればよく、凹凸形状が逆であってもよい。また、溝部１２ｆは外導体１２の略中央部分のみでなく、外導体１２全面に外導体１２の延伸方向に沿って形成されていてもよい。同様に、突出部２２ｆは外導体２２の略中央部分のみでなく、外導体２２全面に外導体２２が延伸する方向に沿って形成されていてもよい。
【００４９】
〔実施形態２〕
図５は実施形態２に係る同軸コネクタのセプタクルの内導体を表す斜視図である。実施形態１で説明した内導体１１を、図５に示す内導体４１の形状としてもよい。なお、説明の便宜上、前記実施形態にて説明した部材と同じ機能を有する部材については、同じ符号を付記し、その説明を省略する。以降の他の実施形態についても同様である。
【００５０】
内導体（外側端子内導体）４１は、内導体２１の嵌入を受ける凹部が形成された壁部４１ａと、該凹部の開口の端部に内導体２１を凹部内に導く案内部４１ｂが設けられている。
【００５１】
これにより、内導体２１と内導体４１とを接触させる際、内導体２１がずれた位置から内導体４１に移動されても、両案内部４１ｂの一方で受けることができる。そして、内導体２１が接触した案内部４１ｂによって内導体２１は、案内部４１ｂの形状に沿って、壁部４１ａが構成する凹形状の内部に挿入される。この結果、内導体４１と内導体２１とは接続される。このように、両案内部４１ｂは、内導体２１・４１が嵌合するよう導くことができる。このため、内導体２１・４１を確実に接触させることができる。なお、内導体１１が円柱形状であり、内導体２１が上記内導体４１の形状であってもよい。
【００５２】
〔実施形態３〕
本発明の実施形態３について、図８に基づいて説明すれば、以下のとおりである。図８は第３の実施形態に係る同軸コネクタの基板面に平行な断面図である。
【００５３】
同軸コネクタ２は、レセプタクル（内側端子）５０と、プラグ（外側端子）６０とを備える。同軸コネクタ２は、レセプタクル５０が、プラグ６０に嵌入される構成である点で、同軸コネクタ１と相違する。プラグ６０には、プラグ２０同様に同軸ケーブル３０の先端部が挿入されて固定されている。
【００５４】
レセプタクル５０は、レセプタクル１０の内導体１１及び外導体１２に替えて、内導体（内側端子内導体）５１及び外導体（内側端子外導体）５２を備えた構成である。レセプタクル５０の他の構成はレセプタクル１０と同様である。プラグ６０は、プラグ２０の内導体２１及び外導体２２に替えて、内導体（外側端子内導体）６１及び外導体（外側端子外導体）６２を備えた構成である。プラグ６０の他の構成はプラグ２０と同様である。外導体５２と外導体６２とは嵌合する形状となっている。内導体５１と内導体６１とは嵌合する形状となっている。
【００５５】
外導体５２は筒状の一部を開口した形状である。外導体５２は両端５２ｂ間が開口部５２ｃとなっている。外導体５２は、内導体５１と離間し、内導体５１の側面を囲っている。換言すると、外導体５２は、両端５２ｂのうち一端５２ｂから他端５２ｂへの方向を延伸方向とし、内導体５１と離間し、内導体５１を囲むように配されている。
【００５６】
外導体６２の両端６２ｂ間は開口部６２ｃとなっている。外導体６２は、中央部である壁部６２ａと、壁部６２ａの先に配され、両端６２ｂを含む外導体６２の両端部である両案内部６２ｄとを有している。
【００５７】
外導体６２は、内導体６１と離間し、内導体６１の側面を囲っている。換言すると、外導体６２は、両案内部６２ｄのうち一方の案内部６２ｄの端６２ｂから、他方の案内部６２ｄの端６２ｂへの方向を延伸方向とし、内導体６１と離間し、内導体６１を囲むように配されている。壁部６２ａは絶縁体１３の表面の縁に沿って配されている。
【００５８】
外導体６２は、帯状体の両方の端部６２ｄが、該両方の端部６２の間に形成される開口部６２ｃの位置から帯状体の先端６２ｂにかけて、両方の端部６２ｂの間の距離が徐々に大きくなる形状を有する。換言すると、両案内部６２ｄのそれぞれは、壁部６２ａ側から両端６２ｂ側にかけて次第に互いに離れる方向に湾曲している。
【００５９】
このため、レセプタクル５０が設置された基板面（不図示）に対し、プラグ６０を平行に移動しレセプタクル５０をプラグ６０内に挿入する際、プラグ６０の開口部６２ｃとレセプタクル５０との相対位置がずれたとしても、外導体６２の両案内部６２ｄの一方で相対位置がずれているレセプタクル５０を受けることができる。そして、レセプタクル５０が接触した案内部６２ｄの形状に沿って、レセプタクル５０を開口部６２ｃ内に導くことができる。この結果、レセプタクル５０を開口部６２ｃからプラグ６０内に挿入させることができる。このため、同軸コネクタ２によると、小型化してもレセプタクル５０とプラグ６０との位置合わせを容易に行うことができる。
【００６０】
内導体５１及び内導体６１のそれぞれの側面は、それぞれの延伸方向（レセプタクル５０が設置されている基板面に直交する方向）に沿って互いに嵌合する形状となっている。
【００６１】
一例として、内導体５１は円柱形状である。内導体６１は内導体６１の側面が嵌合するような、凹形状である。これにより、内導体５１・６１を確実に接触させることができると共に、大きい接触面積を確保することができる。
【００６２】
なお、外導体５２の外面及び外導体６２の内面に溝部１２ｆ・突出部２２ｆを設けてもよい。
【００６３】
〔まとめ〕
本発明の態様１に係る同軸コネクタは、同軸ケーブルの内導体と導通する内導体および同軸ケーブルの外導体と導通する外導体を有するプラグと、上記プラグの内導体と導通する内導体および上記プラグの外導体と導通する外導体を有するレセプタクルとが嵌合することにより、プラグおよびレセプタクルのそれぞれが有する内導体同士および外導体同士を接続する同軸コネクタであって、上記プラグおよび上記レセプタクルの一方である内側端子が、他方である外側端子に嵌入するものであり、上記外側端子の外導体である外側端子外導体は、上記外側端子の内導体である外側端子内導体の側面を囲む帯状体であるとともに、該帯状体の両端部の間に上記内側端子が通過可能な開口が形成されており、上記内側端子の外導体である内側端子外導体は、上記内側端子の内導体である内側端子内導体の側面を囲む帯状体であるとともに、該帯状体の両端部の間に上記外側端子内導体が通過可能な開口が形成されており、上記外側端子外導体、上記外側端子内導体、上記内側端子外導体、および上記内側端子内導体は、上記外側端子外導体の開口を上記内側端子が通るとともに、上記内側端子外導体の開口を上記外側端子内導体が通って、上記内側端子と上記外側端子とが嵌合した状態では、上記外側端子外導体の内壁面と上記内側端子外導体の外壁面とが接触し、かつ、上記内側端子内導体と上記外側端子内導体とが接触する形状を有し、さらに、上記外側端子外導体は、帯状体の両方の端部が、該両方の端部の間に形成される開口の位置から帯状体の先端にかけて、両方の端部の間の距離が徐々に大きくなる形状を有する。
【００６４】
上記構成によると、上記外側端子の外導体である外側端子外導体は、上記外側端子の内導体である外側端子内導体の側面を囲む帯状体であるとともに、該帯状体の両端部の間に上記内側端子が通過可能な開口が形成されており、上記内側端子の外導体である内側端子外導体は、上記内側端子の内導体である内側端子内導体の側面を囲む帯状体であるとともに、該帯状体の両端部の間に上記外側端子内導体が通過可能な開口が形成されている。
【００６５】
そして、上記外側端子外導体、上記外側端子内導体、上記内側端子外導体、および上記内側端子内導体は、上記外側端子外導体の開口を上記内側端子が通るとともに、上記内側端子外導体の開口を上記外側端子内導体が通って、上記内側端子と上記外側端子とが嵌合した状態では、上記外側端子外導体の内壁面と上記内側端子外導体の外壁面とが接触し、かつ、上記内側端子内導体と上記外側端子内導体とが接触する形状を有する。このように、上記外側端子外導体の開口及び上記内側端子外導体の開口を通って、上記外側端子内導体及び上記内側端子内導体のそれぞれを側面側からそれぞれの側面同士を接触させることが可能となる。また、上記外側端子外導体及び上記内側端子外導体も接触が可能となる。
【００６６】
そして、上記外側端子外導体は、帯状体の両方の端部が、該両方の端部の間に形成される開口の位置から帯状体の先端にかけて、両方の端部の間の距離が徐々に大きくなる形状を有する。このため、上記外側端子と上記内側端子とを嵌合させる際、ずれた位置から相対移動されても上記外側端子外導体の両方の端部のうち一方で受け、該端部の形状に沿って、上記内側端子を上記外側端子外導体の開口の内部に導くことができる。これにより、上記外側端子と上記内側端子との位置ずれを防止することができる。
【００６７】
本発明の態様２に係る同軸コネクタでは、上記外側端子外導体の内壁面および上記内側端子外導体の外壁面には、互いに嵌合する嵌合部が、上記内側端子が上記外側端子に嵌入する際の移動方向に沿って延伸する溝状に形成されている。
【００６８】
上記構成により、上記内側端子を上記外側端子に嵌入する際、上記外側端子外導体の内壁面および上記内側端子外導体の外壁面それぞれに形成された嵌合部を嵌合させて、上記内側端子及び上記外側端子を相対移動させることができる。このため、それぞれの上記嵌合部が延伸する方向と直交する方向のずれを防止して、上記内側端子と上記外側端子とを嵌合させることができる。
【００６９】
本発明の態様３に係る同軸コネクタでは、上記嵌合部は、上記外側端子外導体の帯状体の先端から、上記溝の幅が徐々に狭まっている。上記構成により、上記内側端子を上記外側端子に嵌入する際、上記外側端子外導体の内壁面および上記内側端子外導体の外壁面それぞれに形成された嵌合部を嵌合させやすくなる。このため、より確実に、それぞれの上記嵌合部が延伸する方向と直交する方向のずれを防止して、上記内側端子と上記外側端子とを嵌合させることができる。
【００７０】
本発明の態様４に係る同軸コネクタでは、上記内側端子内導体および上記外側端子内導体は、上記内側端子と上記外側端子とが嵌合した状態において、互いに嵌合する形状を有してもよい。
【００７１】
上記構成により、上記内側端子内導体および上記外側端子内導体を確実に接触させることができると共に、大きい接触面積を確保することができる。
【００７２】
本発明の態様５に係る同軸コネクタでは、上記態様４において、上記内側端子内導体および上記外側端子内導体のうちの一方が、他方の嵌入を受ける凹部を有するとともに、該凹部の開口の端部に上記他方を凹部内に導く案内部が設けられていてもよい。
【００７３】
上記構成により、上記内側端子内導体及び上記外側端子内導体のうち一方を他方に嵌入する際、ずれた位置から相対移動されても、上記案内部で上記他方を上記一方の凹部内に導くことができる。このため、上記内側端子内導体と上記外側端子内導体とを確実に接触させることができる。
【００７４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００７５】
本発明は、Ｌ型の同軸コネクタに利用することができる。
【符号の説明】
【００７６】
１・２  同軸コネクタ
５  基板
５ａ  基板面
１０  レセプタクル（外側端子）
５０  レセプタクル（内側端子）
１１・６１  内導体（外側端子内導体）
２１４１・５１  内導体（内側端子内導体）
１２・６２  外導体（外側端子外導体）
５２  外導体（内側端子外導体）
１２ａ  壁部
１２ｂ・５２ｂ  両端（先端）
１２ｃ・５２ｃ  開口部（開口）
１２ｄ  案内部（端部）
１２ｆ  溝部（嵌合部）
２０  プラグ（内側端子）
６０  プラグ（外側端子）
２２  外導体（内側端子外導体）
２２ａ・６２ａ  壁部
２２ｂ・６２ｂ  両端（先端）
２２ｃ・６２ｃ  開口部
２２ｆ  突出部（嵌合部）
３０  同軸ケーブル
３１  内導体
４１ａ  壁部
４１ｂ  案内部（先端）
【図１】
2014186867.tif 000003
【図２】
2014186867.tif 000004
【図３】
2014186867.tif 000005
【図４】
2014186867.tif 000006
【図５】
2014186867.tif 000007
【図６】
2014186867.tif 000008
【図７】
2014186867.tif 000009
【図８】
2014186867.tif 000010